(57)【要約】【課題】基板を挿抜し易い伝送装置、ケーブルガイドセット、及び基板の取り外し方法を提供する。【解決手段】伝送装置８０は、複数のケーブル９０が接続される接続端部８２ａを有する水平方向の基板８２と、接続端部８２ａの下側に配置されケーブル９０を案内するケーブルガイド１０との組み合せを垂直方向に複数配置する構成を備える。ケーブルガイド１０は、基板８２の接続端部８２ａに沿うように配置されてケーブル９０を案内するガイド部１１と、ガイド部１１の外側の一方端に設けられて伝送装置８０に接続される第１接続部と、ガイド部１１の他方端に設けられて伝送装置８０に接続される第２接続部とを有する。【選択図】図１
2018082123.tif 000002
【特許請求の範囲】
【請求項１】
複数のケーブルが接続される接続端部を有する水平方向の基板と、前記接続端部の下側に配置され前記ケーブルを案内するケーブルガイドとの組み合せを垂直方向に複数配置してあり、
前記ケーブルガイドは前記基板の前記接続端部に沿うように配置されて前記ケーブルを案内するガイド部と、前記ガイド部の外側の一方端に設けられて伝送装置に接続される第１接続部と、前記ガイド部の他方端に設けられて前記伝送装置に接続される第２接続部とを有する
伝送装置。
【請求項２】
前記伝送装置に取り付けられ前記ケーブルガイドを支持する支持部材を更に備え、
前記ケーブルガイドの前記第１接続部及び前記第２接続部の少なくとも一方は、前記伝送装置から離間するように前記支持部材を介して前記伝送装置に接続される
請求項１に記載の伝送装置。
【請求項３】
前記支持部材は、前記ケーブルガイドの前記第２接続部を支持する支持部を有し、
前記支持部は、前記第２接続部が挿抜可能な貫通孔の内周面の一部分として構成され、
前記第２接続部は、前記支持部に載置することで支持される
請求項２に記載の伝送装置。
【請求項４】
前記伝送装置は、前記基板の前記接続端部にある複数のケーブルコネクタが、前記支持部材の方を向くように斜めに配置されるものであり、
前記支持部材は、前記ケーブルを把持する把持部を有する
請求項２または請求項３に記載の伝送装置。
【請求項５】
前記ケーブルガイドの前記第１接続部は、締結部材により、前記伝送装置に接続されるものであり、
前記第１接続部は、前記締結部材が挿通可能なスリットを有する、
請求項１から請求項４のいずれか１項に記載の伝送装置。
【請求項６】
前記ケーブルガイドの前記ガイド部は、前記伝送装置の前記基板の前記接続端部に沿うように配置されるガイド本体部と、前記接続端部から離れるように前記ガイド本体部から伸びる少なくとも１つの腕部とを有する
請求項１から請求項５のいずれか１項に記載の伝送装置。
【請求項７】
前記基板を垂直方向に配置する間隔が２５．４ｍｍ以下で、
少なくとも前記腕部は可撓性を有し、さらに、
前記腕部は前記ケーブルが前記腕部から脱落することを阻止する阻止部を有する
請求項６に記載の伝送装置。
【請求項８】
複数のケーブルが接続される接続端部を有する複数の水平方向の基板を垂直方向に複数備える伝送装置用のケーブルガイドセットであって、
前記ケーブルを載せ、前記基板の前記接続端部に沿うように案内するガイド部と、前記ガイド部の外側の一方端に設けられて前記伝送装置に接続される第１接続部と、前記ガイド部の他方端に設けられて前記伝送装置に接続される第２接続部とを有するケーブルガイドを含むケーブルガイドセット。
【請求項９】
複数のケーブルが接続される接続端部を有する複数の水平方向の基板を垂直方向に複数備えており、さらに、前記ケーブルを水平方向に案内するケーブルガイドが前記基板に対応して第１接続部と第２接続部で取り付けられている伝送装置から、前記複数の基板のうち一つの基板を取り外す基板の取り外し方法であって、
前記伝送装置から取り外す予定の基板である取外予定の基板の接続端部から複数のケーブルを引き抜く第１手順と、
前記第１手順後、前記伝送装置から前記取外予定の基板に対応して取り付けられている前記ケーブルガイドを取り外す第２手順と、
前記第２手順後、前記取外予定の基板を前記伝送装置から取り外す第３手順とを含む、
基板の取り外し方法。
【請求項１０】
前記第１手順は、前記基板の取り付け間隔よりも垂直方向に広い空間を使って、前記伝送装置から取外予定の基板の接続端部からケーブルを引き抜く、
請求項９に記載の基板の取り外し方法。
【発明の詳細な説明】
【技術分野】
【０００１】
本発明は、伝送装置、ケーブルガイドセット、及び基板の取り外し方法に関する。
【背景技術】
【０００２】
複数のケーブルが接続される伝送装置の一例として、光回線終端装置（Ｏｐｔｉｃａｌ  Ｌｉｎｅ  Ｔｅｒｍｉｎａｌとも呼ばれる。以下「ＯＬＴ」という。）が知られている。ＯＬＴは、保守性および回線収容密度を高めるため複数の基板と、基板が収容される筐体とを有するものが主流である。基板の端部には、光ファイバーケーブルが接続される複数の接続口が端縁に沿って配列される。複数の基板は、筐体に収容される。特許文献１には、このような伝送装置の一例が開示されている。この例では、基板は、基板面が鉛直方向に沿うように縦置きされている。
【先行技術文献】
【特許文献】
【０００３】
【特許文献１】特開２００１−３５８４７３号公報
【発明の概要】
【発明が解決しようとする課題】
【０００４】
ところで、伝送装置の小型化により、光ファイバーケーブルが密集し、伝送装置の修繕または検査等が行い難くなるといったことがある。例えば、伝送装置に接続された光ファイバーケーブルが下方に垂れると、伝送装置の筐体から基板を挿抜するときに、光ファイバーケーブルが邪魔となり、その作業が滞る。本発明の目的は、基板を挿抜し易い伝送装置、ケーブルガイドセット、及び基板の取り外し方法を提供することである。
【課題を解決するための手段】
【０００５】
本発明の一態様に係る伝送装置は、複数のケーブルが接続される接続端部を有する水平方向の基板と、前記接続端部の下側に配置され前記ケーブルを案内するケーブルガイドとの組み合せを垂直方向に複数配置してあり、前記ケーブルガイドは前記基板の前記接続端部に沿うように配置されて前記ケーブルを案内するガイド部と、前記ガイド部の外側の一方端に設けられて伝送装置に接続される第１接続部と、前記ガイド部の他方端に設けられて前記伝送装置に接続される第２接続部とを有する。
【発明の効果】
【０００６】
上記伝送装置によれば基板を挿抜し易い。
【図面の簡単な説明】
【０００７】
【図１】発明の一態様に係る伝送装置の斜視図である。
【図２】ケーブルガイドの斜視図である。
【図３】ケーブルガイドの正面図である。
【図４】支持部材の斜視図である。
【図５】支持部材の分解斜視図である。
【図６】伝送装置の平面図である。
【図７】伝送装置の正面図である。
【図８】ケーブルガイドセットの変形例の斜視図である。
【発明を実施するための形態】
【０００８】
［本願発明の実施形態の説明］
最初に本願発明の実施態様を列記して説明する。
（１）本発明の一実施態様に係る伝送装置は、複数のケーブルが接続される接続端部を有する水平方向の基板と、前記接続端部の下側に配置され前記ケーブルを案内するケーブルガイドとの組み合せを垂直方向に複数配置してあり、前記ケーブルガイドは前記基板の前記接続端部に沿うように配置されて前記ケーブルを案内するガイド部と、前記ガイド部の外側の一方端に設けられて伝送装置に接続される第１接続部と、前記ガイド部の他方端に設けられて前記伝送装置に接続される第２接続部とを有する。
【０００９】
この構成によれば、ケーブルガイドによりケーブルが案内されるため、ケーブルガイドによりケーブルが垂れ下がることが抑制され、基板の挿抜が容易になる。
【００１０】
（２）上記伝送装置において、前記伝送装置に取り付けられ前記ケーブルガイドを支持する支持部材を更に備え、前記ケーブルガイドの前記第１接続部及び前記第２接続部の少なくとも一方は、前記伝送装置から離間するように前記支持部材を介して前記伝送装置に接続される。
この構成によれば、第１及び第２接続部の少なくとも一方は、伝送装置から離間したところで支持される。伝送装置に収容される基板の接続端部の周辺はケーブルが密集する状態になっているため、第１または第２接続部を直接に伝送装置に接続する構成の場合、その接続が行い難くなることがあるが、上記構成によれば、第１または第２接続部の接続が行い易い。
【００１１】
（３）上記伝送装置において、前記支持部材は、前記ケーブルガイドの前記第２接続部を支持する支持部を有し、前記支持部は、前記第２接続部が挿抜可能な貫通孔の内周面の一部分として構成され、前記第２接続部は、前記支持部に載置することで支持される。
この構成によれば、ケーブルガイドの第２接続部が支持部材の貫通孔に挿通する。このような構造のため、支持部材に、ケーブルガイドの第２接続部を簡単に接続できる。また、ケーブルガイドの第２接続部は、挿通方向に対して交差する方向の移動が制限されるようになる。これにより、支持部材からのケーブルガイドの脱落が抑制される。
【００１２】
（４）上記伝送装置は、前記基板の前記接続端部にある複数のケーブルコネクタが、前記支持部材の方を向くように斜めに配置されるものであり、前記支持部材は、前記ケーブルを把持する把持部を有する。
この構成によれば、ケーブルが支持部材に向かって配線される。また、支持部材に向かって配線されるケーブルは、把持部で束ねることができる。これにより、ケーブルの配線スペースを小さくできる。
【００１３】
（５）上記伝送装置において、前記ケーブルガイドの前記第１接続部は、締結部材により、前記伝送装置に接続されるものであり、前記第１接続部は、前記締結部材が挿通可能なスリットを有する。
この構成によれば、締結部材を弛めてケーブルガイドを移動させることにより、締結部材と第１接続部との係合を解除できる。
【００１４】
（６）上記伝送装置において、前記ケーブルガイドの前記ガイド部は、前記伝送装置の前記基板の前記接続端部に沿うように配置されるガイド本体部と、前記接続端部から離れるように前記ガイド本体部から伸びる少なくとも１つの腕部とを有する。
この構成では、ガイド部の腕部でケーブルが支持される。腕部の周囲には、空間が確保される。ケーブルを挿抜するときにこの空間に指を挿し入れることができる。このため、このような空間が設けられない平坦な板状のガイド板に比べて、ケーブルの挿抜を容易に行うことができる。
【００１５】
（７）上記伝送装置において、前記基板を垂直方向に配置する間隔が２５．４ｍｍ以下で、少なくとも前記腕部は可撓性を有し、さらに、前記腕部は前記ケーブルが前記腕部から脱落することを阻止する阻止部を有する。
この構成によれば、基板を垂直方向に配置する間隔が２５．４ｍｍ以下でありケーブルが垂直方向に密集するような場合においても、少なくとも腕部が曲がるため、ケーブルの挿抜が容易に行うことができる。また、腕部は阻止部を有するため、ケーブルガイドからケーブルが脱落することが抑制される。
【００１６】
（８）本発明の一形態に係るケーブルガイドは、複数のケーブルが接続される接続端部を有する複数の水平方向の基板を垂直方向に複数備える伝送装置用のケーブルガイドセットであって、前記ケーブルを載せ、前記基板の前記接続端部に沿うように案内するガイド部と、前記ガイド部の外側の一方端に設けられて前記伝送装置に接続される第１接続部と、前記ガイド部の他方端に設けられて前記伝送装置に接続される第２接続部とを有するケーブルガイドを含む。
この構成によれば、ケーブルは、ガイド部で、基板の接続端部に沿うように案内され、ケーブルの垂れ下がりが抑制されるため、基板を挿抜し易い。
【００１７】
（９）本発明の一形態に係る基板の取り外し方法は次のとおりである。基板の取り外し方法は、複数のケーブルが接続される接続端部を有する複数の水平方向の基板を垂直方向に複数備えており、さらに、前記ケーブルを水平方向に案内するケーブルガイドが前記基板に対応して第１接続部と第２接続部で取り付けられている伝送装置から、前記複数の基板のうち一つの基板を取り外す基板の取り外し方法であって、前記伝送装置から取り外す予定の基板である取外予定の基板の接続端部から複数のケーブルを引き抜く第１手順と、前記第１手順後、前記伝送装置から前記取外予定の基板に対応して取り付けられている前記ケーブルガイドを取り外す第２手順と、前記第２手順後、前記取外予定の基板を前記伝送装置から取り外す第３手順とを含む。
この構成によれば、取外予定の基板以外の基板のケーブルを引き抜くことなく、取外予定の基板を取り外し可能であり、その際、取外予定の基板が他の基板のケーブルに接触することを抑制できる。
【００１８】
（１０）上記の基板の取り外し方法において、前記第１手順は、前記基板の取り付け間隔よりも垂直方向に広い空間を使って、前記伝送装置から取外予定の基板の接続端部からケーブルを引き抜く。
この構成によれば、ケーブルの挿抜が行い易い。
【００１９】
［本願発明の実施形態の詳細］
本発明の実施形態に係る伝送装置及びケーブルガイドセットについて、その具体例を、図面を参照しつつ以下に説明する。なお、本発明は、これらの例示に限定されるものではなく、特許請求の範囲によって示され、特許請求の範囲と均等の意味及びこの特許請求の範囲内での全ての変更が含まれることが意図される。
【００２０】
伝送装置及びケーブルガイドセットの説明で上下方向とは、伝送装置を適切な状態（具体的には使用における設置状態）で載置したときに、伝送装置及びケーブルガイドにおいて鉛直方向に沿う方向を上下方向という。よって、適切な設置状態では、伝送装置の上下は、鉛直方向の上下に対応し、同様に、ケーブルガイドの上下は、鉛直方向の上下に対応する。また、後述の筐体高さ方向ＤＺは、上下方向に一致する。筐体縦方向ＤＹは、基板の挿抜方向と一致する。筐体横方向ＤＸは、筐体高さ方向ＤＺと筐体縦方向ＤＹとに直交する方向である。
【００２１】
図１は、伝送装置８０を示す。
伝送装置８０の例として、光回線終端装置（Ｏｐｔｉｃａｌ  Ｌｉｎｅ  Ｔｅｒｍｉｎａｌ：以下、「ＯＬＴ」）が挙げられる。ＯＬＴには、光ファイバーケーブルを介して光端末回線装置（Ｏｐｔｉｃａｌ  Ｎｅｔｗｏｒｋ  Ｕｎｉｔ）が接続される。ＯＬＴには、光ファイバーケーブルだけでなく、電気ケーブルも接続される。本実施形態では、光ファイバーケーブルと電気ケーブルとを総称して「ケーブル９０」という。ケーブルコネクタ８３は、光ファイバーケーブル用のコネクタ及び電気ケーブル用のコネクタを含む。
【００２２】
伝送装置８０は、複数の基板８２と、筐体８１と、ケーブルガイド１０とを備える。
筐体８１は、複数の基板８２を収容する。複数の基板８２は、基板面８２ｓに交差する方向（例えば、筐体高さ方向ＤＺ）に配列された状態で、筐体８１に収容される。具体的には、基板８２は、基板面８２ｓが水平になるように筐体８１に収容され、複数の基板８２は垂直方向に配列される。
【００２３】
基板８２は、複数のケーブル９０が接続される接続端部８２ａを有する。基板８２の接続端部８２ａには、複数のケーブルコネクタ８３が水平方向に並列される。複数の基板８２が筐体８１に収容された状態で、接続端部８２ａは、筐体８１の正面側の開口部に配置される。複数の基板８２は筐体高さ方向ＤＺに配列されるため、ケーブルコネクタ８３は伝送装置８０の正面において縦横に配列される。
【００２４】
各基板８２の光ファイバーケーブル用のケーブルコネクタ８３は、例えば、本実施形態（図６参照）のように、全て同じ方向で、斜めに向く。具体的には、光ファイバーケーブル用のケーブルコネクタ８３は、全て同じく、伝送装置８０の正面に垂直な線に対して筐体横方向ＤＸに所定角度だけ傾いた方向に向く。このため、ケーブルコネクタ８３に接続されるケーブル９０は、伝送装置８０に対して同じ方向に配線される。このように、ケーブルコネクタ８３が斜めに配線される場合、把持部２５を有した支持部材２０（後述参照）は、本実施形態のように、伝送装置８０の正面においてケーブル９０が集約される側に取り付けられることが好ましい。すなわち、本実施形態では、支持部材２０（後述参照）は、伝送装置８０の正面において、基板８２の接続端部８２ａに斜めに設けられる複数のケーブルコネクタ８３が向く側（図６においては紙面上の右側）に配置される。複数のケーブル９０は、支持部材２０に向かって配線される。また、これらの複数のケーブル９０は、支持部材２０に取り付けられている把持部２５（後述参照）で束ねられる。なお、ケーブルコネクタ８３が、伝送装置８０の正面に対しケーブルコネクタ８３が垂直に設けられる場合もある。この場合においても、把持部２５を有した支持部材２０（後述参照）は、本実施形態のように、伝送装置８０の正面においてケーブル９０が集約される側に取り付けられることが好ましい。これによって、支持部材２０に設けられる把持部２５で、ケーブル９０を束ねることができるからである。また、ケーブル９０が集約される側において、支持部材２０とケーブルガイド１０の第２接続部１５とが接続可能になることから、ケーブルガイド１０の取り付けが容易になるからである。
【００２５】
以下の説明では、ケーブルコネクタ８３が斜めに向く伝送装置８０において、ケーブル９０が延ばされる方向とは反対側の側面を「第１側面８０ａ」といい、ケーブル９０が延ばされる側の側面を第２側面８０ｂという。
【００２６】
各ケーブルコネクタ８３にケーブル９０が接続されると、複数のケーブル９０により伝送装置８０の正面が覆われるようになる。ケーブル９０が整理されていないと、基板８２の挿抜が困難になるため、ケーブル９０が基板８２毎に束ねられる。また、基板８２の挿抜を行い易くするために、複数のケーブルガイド１０が筐体８１に取り付けられる。以下、ケーブルガイド１０について説明する。
【００２７】
図１に示されるように、ケーブルガイド１０は、基板８２に接続されるケーブル９０を支持する。好ましくは、図１に示されるように、伝送装置８０は、さらに、支持部材２０を備える。更に好ましくは、支持部材２０には、ケーブル９０を把持する把持部２５が設けられる。なお、伝送装置８０において、ケーブル９０を案内する部品群を「ケーブルガイドセット１」という。ケーブルガイドセット１は、複数のケーブルガイド１０を含み、本実施形態では、支持部材２０を更に含む。
【００２８】
図２及び図３を参照して、ケーブルガイド１０について説明する。このケーブルガイド１０は、支持部材２０とともに用いられるタイプのものである。
ケーブルガイド１０は、基板８２の接続端部８２ａの下側に配置され、ケーブル９０を案内する。基板８２の接続端部８２ａの下側とは、基板８２の接続端部８２ａの上下方向における下側の部分であり、ケーブル９０よりも下側を示す。また、基板８２の接続端部８２ａの下側に配置されるのは、ケーブルガイド１０の全部ではなく、後述するガイド部１１である。このようなケーブルガイド１０は、基板８２に接続されるケーブル９０を、伝送装置８０の正面から当該基板８２の挿抜方向に沿うように案内する。ケーブルガイド１０は、樹脂または金属により構成される。一例として、ケーブルガイド１０は、金属板のプレス加工で形成される。
【００２９】
ケーブルガイド１０は、上述したように、基板８２と組み合わされる。従って、伝送装置８０においては、基板面８２ｓが水平にされる基板８２と、ケーブルガイド１０との組み合わせが垂直方向に複数配置される。
【００３０】
ケーブルガイド１０は、ガイド部１１と、ガイド部１１の一方端に設けられて伝送装置８０に接続される第１接続部１４と、ガイド部１１の他方端に設けられて伝送装置８０に接続される第２接続部１５とを有する。
【００３１】
ガイド部１１は、基板８２の接続端部８２ａに沿うように配置され、ケーブル９０を載せ得る。例えば、ガイド部１１は、ガイド本体部１２と、ガイド本体部１２から伸びる１または複数の腕部１３とを備える。ガイド本体部１２は、伝送装置８０の基板８２の接続端部８２ａに沿うように配置される。腕部１３は、ガイド本体部１２から、基板８２の接続端部８２ａから離れるように伸びる。腕部１３は、主として、ケーブル９０のコネクタ接続端部から離れたところを支持する。
【００３２】
腕部１３の個数は制限されないが、その個数は、ケーブル９０を撓ませない程度に、少ないことが好ましい。腕部１３の個数が多すぎると、腕部１３が邪魔になり、ケーブル９０の挿抜が困難になるからである。また、ケーブル９０の挿抜の行い易さから、腕部１３は可撓性を有することが好ましい。腕部１３の変形により腕部１３周辺の空間が広がるため、ケーブル９０の根元まで指を入れ易くなるからである。更には、ガイド本体部１２及び腕部１３が可撓性を有することが好ましい。この構成により、指をケーブル９０の根元まで挿し入れるときに、指との接触により、腕部１３が変形するとともにガイド本体部１２が湾曲または捩れて、指の周辺の空間が広がるため、ケーブル９０の根元まで指を挿し入れ易くなる。さらに、腕部１３には、ケーブル９０が腕部１３から脱落しないように、阻止部１３ａが設けられることが好ましい。阻止部１３ａは、腕部１３の先端に設けられる上方に突出する突起として構成される。この突起は、例えば、腕部１３の折り曲げにより形成され得る。
【００３３】
第１接続部１４は、ガイド部１１の一方端に設けられる。第１接続部１４は、伝送装置８０に接続される。好ましくは、第１接続部１４は、ケーブルガイド１０が取り付けられる基板８２を固定するための締結部材８４により、伝送装置８０に接続される。例えば、基板８２の筐体横方向ＤＸの両端が、締結部材８４（例えば、ねじ）で筐体８１に固定される場合、第１接続部１４は、当該締結部材８４で、基板８２とともに筐体８１に接続される。第１接続部１４は、締結部材８４の軸部（例えば、ボルトのねじ部）が挿通可能なスリット１４ａを有する。スリット１４ａは、ガイド部１１の長手方向と同じ方向に伸び、ガイド部１１とは反対側に開口する。締結部材８４と第１接続部１４との係合を解除するときは、締結部材８４を弛めてケーブルガイド１０を第２接続部１５側に移動させる。
【００３４】
第２接続部１５は、ガイド部１１において第１接続部１４とは反対側の端に設けられる。第２接続部１５は、直接または間接的に伝送装置８０に接続される。好ましくは、第２接続部１５は、伝送装置８０から離間するように支持部材２０を介して伝送装置８０に接続される。すなわち、第２接続部１５は、伝送装置８０に取り付けられる支持部材２０に接続される。本実施形態では、第２接続部１５は、支持部材２０に挿抜可能でかつ非固定状態で接続する。「非固定状態で接続する」とは、締め付け等の力で位置ずれしないように第２接続部１５が固定されるのではなく、第２接続部１５が下側から支持されている状態（すなわち第２接続部１５が支持部２１ａに載置する状態）を示す。第２接続部１５は、ガイド本体部１２の延長部分として構成される。第２接続部１５には、支持部材２０の貫通孔２１ｂ（後述参照）に挿通し易いように、テーパ部１５ａが設けられる。
【００３５】
ケーブルガイド１０の形状構造を説明する。ガイド部１１のガイド本体部１２及び腕部１３は板状に構成される。ガイド本体部１２には、第１接続部１４側において段部１１ｂが設けられている。段部１１ｂは、ケーブルガイド１０が伝送装置８０に取り付けられたときに伝送装置８０の正面に接触するように構成される。また、ガイド本体部１２の第１接続部１４側には、ガイド本体部１２に対して直角に折り曲げられた折曲部１１ａが設けられている。第１接続部１４は、折曲部１１ａを更に折り曲げて、ガイド部１１が構成する面（上に向く面）とは交差する面（伝送装置８０側の面）を含むように構成される。第１接続部１４の面（伝送装置８０側の面）は、筐体縦方向ＤＹにおいてガイド本体部１２の伝送装置８０側の端縁よりも伝送装置８０側に位置する。このような構成により、第１接続部１４を伝送装置８０に接続すると、ガイド部１１のガイド本体部１２が伝送装置８０から離間する。
【００３６】
図４を参照して、支持部材２０について説明する。
支持部材２０は、複数のケーブルガイド１０の第２接続部１５を支持する。支持部材２０は、伝送装置８０の正面における第２側面８０ｂ寄りの端部であって、筐体横方向ＤＸにおいて基板８２よりも第２側面８０ｂ寄り部分に取り付けられる。
【００３７】
支持部材２０は、支持本体部２１と、支持本体部２１から延びる締結部２２と、支持本体部２１から締結部２２とは反対側に延びる把持部取付部２３とを有する。
締結部２２は、締結部材（例えば、ねじ）で伝送装置８０に締結される。締結部２２には、締結部材が挿通する締結用孔２２ａが設けられている。
【００３８】
支持本体部２１は、板状に構成される。ケーブルガイド１０が伝送装置８０に取り付けられると、支持本体部２１は筐体高さ方向ＤＺに沿うように配置される。支持本体部２１には、ケーブルガイド１０の第２接続部１５を支持する複数の支持部２１ａが設けられている。支持部２１ａは、筐体高さ方向ＤＺに配列する基板８２と同じ間隔で配列される。支持部２１ａは、ケーブルガイド１０の第２接続部１５が載置される部分として構成される。この構成のため、支持部材２０に対して、ケーブルガイド１０の第２接続部１５を簡単に接続できる。
【００３９】
好ましくは、本実施形態のように、支持部２１ａは、第２接続部１５が挿抜可能な貫通孔２１ｂの内周面における底面２１ｃとして構成される。ケーブルガイド１０の第２接続部１５は、貫通孔２１ｂに挿通し、内周面における底面２１ｃの上に載置される。第２接続部１５は、挿通方向に対して交差する方向の移動が制限される。このため、この例では、第２接続部１５の接続が簡単である上に、第２接続部１５の脱落が抑制される。
【００４０】
把持部取付部２３には、把持部２５が取り付けられる。把持部取付部２３には、把持部２５を取り付けるための把持部用孔２３ａが設けられている。把持部用孔２３ａは、把持部２５を回転させて係合させるように構成されている。具体的には、把持部用孔２３ａは、円形の軸孔２３ｂと、軸孔２３ｂから互いに反対方向に伸びる一対のスリット２３ｃとを有する（図５参照）。
【００４１】
図５に示されるように、把持部２５は、軸部２５ａと、ケーブル９０を把持する一対の爪（以下、「第１爪２５ｃ」と「第２爪２５ｄ」）とを備える。第１爪２５ｃ及び第２爪２５ｄは、互いに対向するように軸部２５ａの先端に設けられる。第１爪２５ｃの先端と第２爪２５ｄの先端の間の隙間２５ｅの間隔は、ケーブル９０が挿通する程度の距離に設定される。ケーブル９０は、隙間２５ｅと通って第１爪２５ｃと第２爪２５ｄとの間に配置される。複数のケーブル９０は、把持部２５で束ねられる。
【００４２】
把持部２５の軸部２５ａには、互いに反対方向に突出する一対の凸部２５ｂを有する。一対の凸部２５ｂは、第１爪２５ｃと第２爪２５ｄとの並び方向とは垂直の方向に伸びる。軸部２５ａは、把持部用孔２３ａの軸孔２３ｂに挿通し、凸部２５ｂは、把持部用孔２３ａのスリット２３ｃに挿通する。軸部２５ａ及び凸部２５ｂを把持部用孔２３ａに挿通し、回転させることで、把持部２５の軸部２５ａは把持部用孔２３ａに係合する。
【００４３】
次に、伝送装置８０において、基板８２を取り外す方法（基板の取り外し方法）について説明する。基板８２の取り外しは、第１手順〜第３手順を含み、この順で行う。
第１手順では、伝送装置８０から取り外す予定の基板８２（以下、「取外予定の基板８２」）から複数のケーブル９０を引き抜く。
【００４４】
この第１手順において、伝送装置８０から取外予定の基板８２の接続端部８２ａからケーブル９０を引き抜くとき、基板８２の取り付け間隔よりも垂直方向に広い上述の空間ＳＸを使うことができるため、ケーブル９０の引き抜きが簡単である。
【００４５】
第２手順では、伝送装置８０から取外予定の基板８２に取り付けられているケーブルガイド１０を取り外す。具体的には、本実施形態のケーブルガイド１０では、第１接続部１４を締結する締結部材８４を弛め、ケーブルガイド１０を第２接続部１５側に移動させることにより、第１接続部１４と締結部材８４との係合を解除して、第１接続部１４側の移動を自由にする。この後、ケーブルガイド１０を第１接続部１４側に移動させて、第２接続部１５と支持部材２０の支持部２１ａとの係合を解除させる。本実施形態では、第１接続部１４は、ケーブル９０が密集していない側、すなわち伝送装置８０の正面における第１側面８０ａ寄りの端部に締結されているため、ケーブル９０が邪魔にならず、その係合解除が容易である。第２接続部１５は、ケーブル９０が密集している側、すなわち伝送装置８０の正面における第２側面８０ｂ側の端部に配置されているが、第２接続部１５は非固定状態で支持されているため、第２接続部１５を支持部材２０から簡単に取り外すことができる。要するに、第１接続部１４側の締結部材８４を弛めて、ケーブルガイド１０を移動させるだけで、ケーブルガイド１０を簡単に取り外しできる。
【００４６】
第３手順では、取外予定の基板８２を伝送装置８０から取り外す。ケーブル９０は垂れないようにケーブルガイド１０で案内されているため、基板８２の取り外しにおいて基板８２とケーブル９０との接触が抑制される。特に、取外予定の基板８２を伝送装置８０の正面に対して垂直に移動させると、ケーブル９０に引っ掛かることなく、基板８２を取り出すことができる。このように、ケーブルガイドセット１を備える伝送装置８０によれば、基板８２の取り外しにおいて、当該取り外しの基板８２と、その基板８２の上下に配置される他の基板８２に接続されているケーブル９０との接触が抑制される。
【００４７】
図６及び図７を参照して、伝送装置８０の作用及び効果を説明する。
（１）図６に示されるように、伝送装置８０は、複数のケーブルガイド１０を備える。ケーブルガイド１０は、ガイド部１１と、伝送装置８０に接続される第１接続部１４及び第２接続部１５とを有する。ガイド部１１は、基板８２の接続端部８２ａに沿うように配置されて、ケーブル９０を案内する。すなわち、ケーブルガイド１０が、基板８２の接続端部８２ａに沿うように配置されることにより、ケーブル９０は、筐体高さ方向ＤＺにおいて、基板８２の接続端部８２ａと同じ高さのところで配線されるように案内され（図７参照）、下方に垂れるようなことが抑制される。この構成により、ケーブルガイド１０により、ケーブル９０が垂れ下がることが抑制され、基板８２の挿抜の際、ケーブル９０が邪魔にならないため、伝送装置８０からの基板８２の挿抜が容易になる。
【００４８】
（２）また、上記実施形態では、伝送装置８０は、ケーブルガイド１０を支持する支持部材２０を更に備える。ケーブルガイド１０の第１接続部１４及び第２接続部１５の少なくとも一方が（本実施形態では、第２接続部１５）、伝送装置８０から離間するように支持部材２０を介して伝送装置８０に接続される。
この構成によれば、第１接続部１４及び第２接続部１５の少なくとも一方が、伝送装置８０から離間したところで支持される。伝送装置８０に収容される基板８２の接続端部８２ａの周辺は、ケーブル９０が密集する状態になっている。このため、第１接続部１４または第２接続部１５を直接に伝送装置８０に接続する構成の場合、その接続が行い難くなることがあるが、上記構成によれば、第１接続部１４または第２接続部１５の接続が行い易い。
【００４９】
本実施形態の場合、支持部材２０には、ケーブル９０を束ねる把持部２５が設けられる。このため、伝送装置８０の正面における支持部材２０の配置側にケーブル９０が集約される。このため、伝送装置８０の正面における支持部材２０の配置側の領域では、ケーブル９０の密度が高くなり、その反対側がケーブル９０の密度が低くなる。そして、この支持部材２０にケーブルガイド１０の第２接続部１５が接続される。すなわち、第１接続部１４及び第２接続部１５のうち接続が容易である第２接続部１５が、伝送装置８０の正面においてケーブル９０の密度が高い領域に配置される。このため、この逆の構造の場合（第１接続部１４が伝送装置８０の正面におけるケーブル９０の密度が高い側の部分に接続される構造）に比べて、ケーブルガイド１０の取り付け及び取り外しが簡単になる。また、ケーブルガイド１０の第２接続部１５が伝送装置８０から離間するところで支持されるため、ケーブル９０に妨げられずに、またはケーブル９０による妨げが少ない状態で、ケーブルガイド１０の第２接続部１５を挿抜できる。このように、上記効果が一層顕著になる。
【００５０】
（３）また、上記実施形態では、ケーブルガイド１０のガイド部１１は、ガイド本体部１２と、基板８２の接続端部８２ａから離れるようにガイド本体部１２から伸びる少なくとも１つの腕部１３とを有する。ガイド本体部１２は、伝送装置８０の基板８２の接続端部８２ａに沿うように配置される。
【００５１】
上記構成によれば、ガイド部１１の腕部１３でケーブル９０が支持される。そして、腕部１３の周囲には空間ＳＸが確保される（図６参照）。このため、このような空間ＳＸが設けられない平坦な板状のガイド板に比べて、ケーブル９０の挿抜を容易に行うことができる。
【００５２】
（４）伝送装置８０において、腕部１３は可撓性を有することが好ましい。より好ましくは、ガイド本体部１２及び腕部１３がともに可撓性を有することが好ましい。さらに、腕部１３はケーブル９０が腕部１３から脱落することを阻止する阻止部１３ａを有することが好ましい。この構成は、基板８２を垂直方向に配置する間隔が２５．４ｍｍ以下である場合において、特に、下記の効果が顕著になる。
例えば、基板の取り付け間隔が２５．４ｍｍ（１インチ）以下になるとケーブルガイドの隙間もそれ以下になり、その隙間に指を挿し入れ難くなり、基板の取り付け間隔が２０ｍｍ以下になると一層、困難である。
この点、上記構成では、このように基板の取り付け間隔が狭い場合においても、ケーブルガイド１０の腕部１３が曲がるため、ケーブル９０の挿抜が容易に行うことができる。また、ガイド本体部１２及び腕部１３がともに可撓性を有することにより、ガイド本体部１２及び腕部１３が曲がると、指の挿し入れがより容易になり、ケーブル９０の挿抜がより容易くなる。また、腕部１３が湾曲しても、腕部１３の阻止部１３ａによりケーブルガイド１０が支持されるため、ケーブルガイド１０からケーブル９０が脱落することが抑制される。なお、腕部１３の阻止部１３ａは次の効果もある。すなわち、ケーブル９０は弾性を有することからケーブルガイド１０から食み出す虞もあるが、阻止部１３ａによりこのような食み出しを抑制する。
【００５３】
（５）ケーブルガイドセット１は、複数のケーブル９０が接続される接続端部８２ａを有する複数の水平方向の基板８２を垂直方向に複数備える伝送装置に用いられる。ケーブルガイドセット１は、ケーブルガイド１０を含む。ケーブルガイド１０は、ガイド部１１と、第１接続部１４と、第２接続部１５とを有する。ガイド部１１は、ケーブル９０を載せて基板８２の接続端部８２ａに沿うように案内する。この構成によれば、ケーブル９０は、ガイド部１１で、基板８２の接続端部８２ａに沿うように案内され、ケーブル９０の垂れ下がりが抑制されるため、基板８２を挿抜し易い。
【００５４】
［その他の実施形態］
本発明は、上記実施形態に限定されない。以下、その他の実施形態について説明する。
【００５５】
図８を参照して、ケーブルガイドセット１の変形例を説明する。この変形例では、ケーブルガイド１０の第２接続部１５に、抜止め１５ｘが設けられている。抜止め１５ｘは、ケーブルガイド１０の第１接続部１４を固定する締結部材８４が弛み、ケーブルガイド１０が移動したときに、第２接続部１５が支持部材２０の貫通孔２１ｘから抜けることを防止する。なお、この構成の場合、支持部材２０の貫通孔２１ｘは、抜止め１５ｘが挿抜可能な大きさに構成される。
【００５６】
・上記実施形態に示される支持部材２０において、ケーブルガイド１０の第２接続部１５が接続する部分である支持部２１ａの別の例を挙げる。
実施形態では、支持部２１ａは、貫通孔２１ｂの内周面の底面２１ｃとして構成される。例えば、この構成に代えて、支持部２１ａは、支持部材２０に設けられるスリットとして構成され得る。
【００５７】
・上記実施形態とは別形態のケーブルガイド１０を例示する。
第１例のケーブルガイド１０は、第１接続部１４及び第２接続部１５がともに支持部材２０を介して伝送装置８０に接続される。
第２例のケーブルガイド１０は、第１接続部１４が支持部材２０を介して伝送装置８０に接続され、第２接続部１５が直接伝送装置８０に接続される。この例は、実施形態の第１接続部１４と第２接続部１５とを入れ替えた構造を有する。
第３例のケーブルガイド１０は、第１接続部１４及び第２接続部１５がともに直接に伝送装置８０に接続される。すなわち、この例では、支持部材２０が省略され、第２接続部１５は、第１接続部１４と同じ構造にされる。
【００５８】
すなわち、実施形態に示された例と、これらの例をまとめると次のようになる。ケーブルガイド１０は、第１接続部１４及び第２接続部１５の少なくとも一方が伝送装置８０から離間するように支持部材２０を介して伝送装置８０に接続される場合と、第１接続部１４及び第２接続部１５がともに伝送装置８０に直接に接続される場合とがある。
これらいずれの場合でも、ガイド部１１は、ケーブルガイド１０が取り付けられる基板８２の接続端部８２ａに沿うように配置される。このため、実施形態に示された（１）に準じた効果を奏する。
【産業上の利用可能性】
【００５９】
本発明のケーブルガイドセット１は、ケーブル９０が接続される伝送装置に好適に利用することができる。本発明の伝送装置８０は、通信ネットワークに好適に適用される。本発明の基板８２の取り外し方法は、本発明のケーブルガイドセット１が取り付けられている装置について適用される。
【符号の説明】
【００６０】
１…ケーブルガイドセット
１０…ケーブルガイド
１１…ガイド部
１１ａ…折曲部
１１ｂ…段部
１２…ガイド本体部
１３…腕部
１３ａ…阻止部
１４…第１接続部
１４ａ…スリット
１５…第２接続部
１５ａ…テーパ部
１５ｘ…抜止め
２０…支持部材
２１…支持本体部
２１ａ…支持部
２１ｂ…貫通孔
２１ｃ…底面
２１ｘ…貫通孔
２２…締結部
２２ａ…締結用孔
２３…把持部取付部
２３ａ…把持部用孔
２３ｂ…軸孔
２３ｃ…スリット
２５…把持部
２５ａ…軸部
２５ｂ…凸部
２５ｃ…第１爪
２５ｄ…第２爪
２５ｅ…隙間
８０…伝送装置
８０ａ…第１側面
８０ｂ…第２側面
８１…筐体
８２…基板
８２ａ…接続端部
８２ｓ…基板面
８３…ケーブルコネクタ
８４…締結部材
９０…ケーブル
ＤＸ…筐体横方向
ＤＹ…筐体縦方向
ＤＺ…筐体高さ方向
ＳＸ…空間
【図１】
2018082123.tif 000003
【図２】
2018082123.tif 000004
【図３】
2018082123.tif 000005
【図４】
2018082123.tif 000006
【図５】
2018082123.tif 000007
【図６】
2018082123.tif 000008
【図７】
2018082123.tif 000009
【図８】
2018082123.tif 000010